(57)【要約】【課題】制御素子と撮像素子との間の伝熱を抑制し、熱害を抑制する。【解決手段】カメラ装置Ｃは、筐体１０と、筐体１０内に収容される撮像素子１２および制御素子１３と、撮像素子１２および制御素子１３からの発熱を筐体１０外に放熱する伝熱経路Ｐと、を備える。伝熱経路Ｐは、撮像素子１２と熱的に結合された第１伝熱経路Ｐ１と、この第１伝熱経路Ｐ１とは別々に設けられ、制御素子１３と熱的に結合された第２伝熱経路Ｐ２と、を有する。第１伝熱経路Ｐ１は、筐体１０の側壁１０ｓに沿って配置される第１放熱板２１によって構成され、第２伝熱経路Ｐ２は、第１放熱板２１と並列に配置される第２放熱板２２によって構成される。【選択図】図４
2020202459.tif 000002
【特許請求の範囲】
【請求項１】
筐体と、
前記筐体内に収容される撮像素子および制御素子と、
前記撮像素子および制御素子からの発熱を前記筐体外に放熱する伝熱経路と、を備え、
前記伝熱経路は、
前記撮像素子と熱的に結合された第１伝熱経路と、
前記第１伝熱経路とは別々に設けられ、前記制御素子と熱的に結合された第２伝熱経路と、を有し、
前記第１伝熱経路は、前記筐体の側壁に沿って配置される第１放熱板によって構成され、
前記第２伝熱経路は、前記第１放熱板と並列に配置される第２放熱板によって構成される
ことを特徴とするカメラ装置。
【請求項２】
請求項１に記載されたカメラ装置において、
前記第１放熱板は、前記第２放熱板に比して、前記筐体の側壁から離間している
ことを特徴とするカメラ装置。
【請求項３】
請求項１に記載されたカメラ装置において、
前記第２放熱板は、前記第１放熱板に比して、前記筐体の側壁から離間している
ことを特徴とするカメラ装置。
【請求項４】
請求項２または３に記載されたカメラ装置において、
前記第１および第２放熱板のうち、前記筐体の側壁から離間している一方には、該側壁に近接している他方に外気を送るための空気取入口が形成されている
ことを特徴とするカメラ装置。
【請求項５】
請求項１から４のいずれか１項に記載されたカメラ装置において、
前記第１放熱板と前記第２放熱板との間隔は、前記第１および第２放熱板のうち前記筐体の側壁に近接している一方と該側壁との間隔よりも広い
ことを特徴とするカメラ装置。
【請求項６】
請求項１から４のいずれか１項に記載されたカメラ装置において、
前記第１放熱板、前記第２放熱板および前記筐体の側壁は、該側壁に直交する方向において等間隔で並んでいる
ことを特徴とするカメラ装置。
【請求項７】
請求項１から４のいずれか１項に記載されたカメラ装置において、
前記第１放熱板と前記第２放熱板との間隔は、前記第１および第２放熱板のうち前記筐体の側壁に近接している一方と該側壁との間隔よりも狭い
ことを特徴とするカメラ装置。
【請求項８】
請求項１から７のいずれか１項に記載されたカメラ装置と、
前記カメラ装置を人体に装着するためのカメラ用装着具と、を備える
ことを特徴とする撮像システム。
【発明の詳細な説明】
【技術分野】
【０００１】
ここに開示する技術は、カメラ装置および撮像システムに関する。
【背景技術】
【０００２】
例えば特許文献１には、筐体（カメラ筐体）と、筐体内に収容される制御素子（集積回路素子）および撮像素子（ＣＣＤ）と、筐体の側板に沿って配置される放熱板と、を備えたカメラ装置（ビデオカメラ）が開示されている。この特許文献１に係る筐体は、制御素子および撮像素子からの発熱を、側板および放熱板を介して放熱するように構成されている。
【先行技術文献】
【特許文献】
【０００３】
【特許文献１】特開平７−１５４６５６号公報
【発明の概要】
【発明が解決しようとする課題】
【０００４】
しかしながら、前記特許文献１に開示されている構成では、制御素子からの発熱と、撮像素子からの発熱が、共通の側板を介して放熱するようになっている。そのため、例えば、制御素子からの発熱が、側板を介して撮像素子に伝達されて、その撮像素子に悪影響を与える可能性があった。
【０００５】
ここに開示する技術は、かかる点に鑑みてなされたものであり、その目的とするところは、制御素子と撮像素子との間の伝熱を抑制し、熱害を抑制することにある。
【課題を解決するための手段】
【０００６】
本開示は、カメラ装置に係る。このカメラ装置は、筐体と、前記筐体内に収容される撮像素子および制御素子と、前記撮像素子および制御素子からの発熱を前記筐体外に放熱する伝熱経路と、を備え、前記伝熱経路は、前記撮像素子と熱的に結合された第１伝熱経路と、前記第１伝熱経路とは別々に設けられ、前記制御素子と熱的に結合された第２伝熱経路と、を有し、前記第１伝熱経路は、前記筐体の側壁に沿って配置される第１放熱板によって構成され、前記第２伝熱経路は、前記第１放熱板と並列に配置される第２放熱板によって構成される。
【０００７】
この構成によれば、撮像素子用の伝熱経路（第１伝熱経路）と、制御素子用の伝熱経路（第２伝熱経路）と、を別々に設けることで、撮像素子と制御素子との間の伝熱を抑制し、熱害を抑制することができる。
【０００８】
さらに、前記の構成によれば、第１伝熱経路を構成する第１放熱板と、第２伝熱経路を構成する第２放熱板を並列に配置することで、カメラ装置の大型化を抑制することができる。
【０００９】
また、前記第１放熱板は、前記第２放熱板に比して、前記筐体の側壁から離間している、としてもよい。
【００１０】
この構成によれば、撮像素子をより確実に放熱することができ、画質の悪化を抑制することができる。
【００１１】
また、前記第２放熱板は、前記第１放熱板に比して、前記筐体の側壁から離間している、としてもよい。
【００１２】
この構成によれば、撮像素子よりも発熱量の多い制御素子を、より確実に放熱することができる。
【００１３】
また、前記第１および第２放熱板のうち、前記筐体の側壁から離間している一方には、該側壁に近接している他方に外気を送るための空気取入口が形成されている、としてもよい。
【００１４】
この構成によれば、第１および第２放熱板のうち筐体の側壁に近接している放熱板へと空気を送り込み、この放熱板による放熱を促進することができる。
【００１５】
また、前記第１放熱板と前記第２放熱板との間隔は、前記第１および第２放熱板のうち前記筐体の側壁に近接している一方と該側壁との間隔よりも広い、としてもよい。
【００１６】
この構成によれば、筐体の側壁から離間している一方の放熱板を、この側壁からさらに離間させ、該放熱板による放熱性能をより高めることができる。
【００１７】
また、前記第１放熱板、前記第２放熱板および前記筐体の側壁は、該側壁に直交する方向において等間隔で並んでいる、としてもよい。
【００１８】
この構成によれば、限られたスペースの中、第１および第２放熱板による放熱性能を最大限に発揮させることができる。
【００１９】
また、前記第１放熱板と前記第２放熱板との間隔は、前記第１および第２放熱板のうち前記筐体の側壁に近接している一方と該側壁との間隔よりも狭い、としてもよい。
【００２０】
この構成によれば、筐体の側壁に近接している一方の放熱板を、この側壁から離間させ、該放熱板による放熱性能を高めることができる。
【００２１】
また、本開示は、前記カメラ装置と、前記カメラ装置を人体に装着するためのカメラ用装着具と、を備える撮像システムにも係る。
【００２２】
この構成によれば、制御素子と撮像素子との間の伝熱を抑制し、熱害を抑制することができる。
【発明の効果】
【００２３】
以上説明したように、前記カメラ装置および撮像システムによれば、制御素子と撮像素子との間の伝熱を抑制し、熱害を抑制することができる。
【図面の簡単な説明】
【００２４】
【図１】図１は、撮像システムの全体構成を例示する斜視図である。
【図２】図２は、カメラ装置の構成を例示する斜視図である。
【図３】図３は、カメラ装置の構成を例示する分解斜視図である。
【図４】図４は、カメラ装置の内部構造を例示する縦断面図である。
【図５】図５は、カメラ本体の構成を前側から見て例示する斜視図である。
【図６】図６は、カメラ本体の構成を前側から見て例示する分解斜視図である。
【図７】図７は、カメラ本体の構成を後側から見て例示する斜視図である。
【図８】図８は、カメラ本体の構成を後側から見て例示する分解斜視図である。
【図９】図９は、第１放熱板の構成を例示する三面図である。
【図１０】図１０は、第２放熱板の構成を例示する三面図である。
【図１１】図１１は、カメラ本体における空気流を説明するための縦断面図である。
【図１２】図１２は、カメラ装置の変形例を示す図４対応図である。
【発明を実施するための形態】
【００２５】
以下、本開示の実施形態を図面に基づいて説明する。なお、以下の説明は例示である。
【００２６】
本実施形態に係るカメラ装置は、カメラ用装着具を介して人体（特に、人体の頭部に装着されるカメラである。本明細書では、そうしたカメラ装置を備えてなる撮像システムから順番に説明をする。
【００２７】
＜システム構成＞
図１は、撮像システムＳの全体構成を例示する斜視図である。
【００２８】
以下の説明において「前」とは、着用者Ｕにカメラ装置Ｃを装着した状態（装着状態）での、着用者Ｕから見た前側を指す。同様に「後」とは、装着状態での、着用者Ｕから見た後側を指す。「上」、「下」、「左」および「右」についても、着用者Ｕから見た方向として定義する。
【００２９】
本実施形態に係るカメラ装置Ｃは、その撮像レンズ１１を前側に向けた状態で装着されるようになっている。すなわち、撮像レンズ１１の光軸Ａ方向は、着用者Ｕから見た前後方向に一致する。
【００３０】
図１に示すように、撮像システムＳは、着用者Ｕの頭部側方に配置されるカメラ装置Ｃと、このカメラ装置Ｃを人体に装着するためのカメラ用装着具１００と、を備えている。
【００３１】
ここで、カメラ用装着具１００は、着用者Ｕの頭部に沿って掛け回されるベルト部１０２と、着用者Ｕの頭部に対して側方から当接するパッド部材１０３と、パッド部材１０３にカメラ装置Ｃを取り付けるためのマウント部１０４と、を有している。
【００３２】
マウント部１０４にカメラ装置Ｃを取り付けることで、着用者Ｕの頬付近にカメラ装置Ｃが配置されるとともに、そのカメラ装置Ｃの前側に向って撮像レンズ１１が配置されることになる。よって、カメラ装置Ｃを装着した状態で着用者Ｕが走行すると、撮像レンズ１１の光軸Ａ方向に沿って、すなわちカメラ装置Ｃの前側から後側に向って走行風が流れることになる。
【００３３】
本実施形態に係るカメラ装置Ｃは、そうした走行風を冷却に活用するために、種々の工夫が施されている。以下、カメラ装置Ｃの構成のうち、走行風を用いた冷却に係る構成について詳細に説明する。
【００３４】
＜カメラ装置＞
−カメラ装置の全体構成−
図２は、カメラ装置Ｃの構成を例示する斜視図であり、図３は、カメラ装置Ｃの構成を例示する分解斜視図である。そして、図４は、カメラ装置Ｃの内部構造を例示する縦断面図である。ここで、図４は、カメラ装置Ｃからカバー部材５０を取り外した状態における縦断面に相当する。
【００３５】
図２に例示するように、カメラ装置Ｃは、撮像レンズ１１を有するカメラとして機能するカメラ本体１と、このカメラ本体１の外部筐体として機能するカバー部材５０と、を備えている。
【００３６】
具体的に、カメラ本体１は、その表面から放熱する筐体１０と、この筐体１０の前側に設けられた撮像レンズ１１と、外部電源（不図示）に接続された電源ケーブル６０と、カメラ用装着具１００におけるマウント部１０４に取り付けられる接続部７０と、を有している。
【００３７】
詳しくは、筐体１０は、上下方向の寸法に比して左右方向の寸法が短く、かつ前後方向に延びる矩形薄箱状に形成されている。図４に例示するように、筐体１０内には、ＣＣＤイメージセンサ、ＣＭＯＳイメージセンサ等からなる撮像素子１２と、特定用途向け集積回路（Application Specific Integrated Circuit：ＡＳＩＣ）等からなる制御素子１３と、が収容されている。
【００３８】
さらに詳しくは、図４に例示するように、筐体１０内には、板状の部材として構成された第１隔壁部１４が設けられている。この第１隔壁部１４は、上下方向および左右方向に沿って延びるよう配置されており、筐体１０の内部空間を、撮像素子１２を収容するための第１収容スペースＳ１と、制御素子１３を収容するための第２収容スペースＳ２と、に仕切っている。第１隔壁部１４は、熱伝導性を有する材料、例えば金属から構成されている。
【００３９】
第１収容スペースＳ１は、前後方向においては撮像レンズ１１の後方、かつ第１隔壁部１４の前方に設けられる。ここで、第１隔壁部１４は、第１収容スペースＳ１における撮像素子１２と熱的に結合されており、後述の第１放熱板２１とともに、カメラ装置Ｃにおける伝熱経路Ｐ（特に第１伝熱経路Ｐ１）を構成するようになっている。
【００４０】
筐体１０にはさらに、第１隔壁部１４と同様に板状の部材として構成された、左右一対の第２隔壁部１５が設けられている。一対の第２隔壁部１５は、それぞれ、上下方向および前後方向に沿って延びるよう配置されており、筐体１０における左右の側壁１０ｓを構成している。一対の第２隔壁部１５は、それぞれ、熱伝導性を有する材料、例えば金属から構成されている。
【００４１】
第２収容スペースＳ２は、前後方向においては第１隔壁部１４の後方に配置され、左右方向においては一対の第２隔壁部１５の間に設けられる。ここで、第２隔壁部１５は、第２収容スペースＳ２における制御素子１３と熱的に結合されており、後述の第２放熱板２２とともに、カメラ装置Ｃにおける伝熱経路Ｐ（特に第２伝熱経路Ｐ２）を構成するようになっている。
【００４２】
撮像レンズ１１は、筐体１０の前面１０ｆに設けられており、その前面１０ｆから前方に向って延びている、図３に例示するように、カメラ本体１をカバー部材５０で覆った状態において、撮像レンズ１１は、カバー部材５０から前方に突出するようにレイアウトされている。
【００４３】
電源ケーブル６０は、筐体１０の後面から後方に向って延びている。電源ケーブル６０の一端部は、筐体１０内に収容された制御素子１３等と接続されており、電源ケーブル６０の他端部は、筐体１０外に設けられる外部電源（不図示）と接続されている。
【００４４】
接続部７０は、筐体１０の上面に取り付けられるように構成されており、同上面から上方に向って延びている。この接続部７０には、カメラ用装着具１００におけるマウント部１０４を取り付けることができる。
【００４５】
一方、カバー部材５０は、図３に例示するように、同カバー部材５０における左半部を構成する左カバー部材５０Ｌと、右半部を構成する右カバー部材５０Ｒと、に分割されている。このカバー部材５０は、カメラ本体１における筐体１０の外周を覆う様に構成されている。
【００４６】
また、カバー部材５０は、前後方向に沿って延びる略筒状に形成されている。本実施形態に係るカバー部材５０には、少なくとも、前側に開口した前部開口部５１ｆと、後側に開口した後部開口部５１ｒと、が設けられている（図１１を参照）。
【００４７】
具体的に、前部開口部５１ｆは、略筒状とされたカバー部材５０における前側の開口端をなす。カメラ本体１における撮像レンズ１１は、この前部開口部５１ｆから突出し、カバー部材５０の外部に露出するようになっている。
【００４８】
対して、後部開口部５１ｒは、略筒状とされたカバー部材５０における後側の開口端をなす。図示は省略したが、カメラ本体１における電源ケーブル６０は、この後部開口部５１ｒから繰り出されるようになっている。
【００４９】
そして、着用者Ｕの走行によって生じた走行風は、前部開口部５１ｆを介してカバー部材５０の内部に取り込まれることになる。そうしてカバー部材５０の内部に取り込まれた走行風は、カバー部材５０の内壁面と、カメラ本体１における筐体１０の側壁１０ｓと、の間のスペースを流れることになる。
【００５０】
ここで、本実施形態に係るカメラ本体１は、走行風を用いた冷却性能を促進するための放熱構造として、筐体１０の側壁１０ｓに沿って第１および第２放熱板２１，２２を配置した構造とされている。
【００５１】
−カメラ本体の放熱構造−
図５は、カメラ本体１の構成を前側から見て例示する斜視図であり、図６は、カメラ本体１の構成を前側から見て例示する分解斜視図である。また、図７は、カメラ本体１の構成を後側から見て例示する斜視図であり、図８は、カメラ本体１の構成を後側から見て例示する分解斜視図である。さらに、図９は、第１放熱板２１の構成を例示する三面図であり、図１０は、第２放熱板２２の構成を例示する三面図である。また、図１１は、カメラ本体１における空気流を説明するための縦断面図である。
【００５２】
図４に例示するように、カメラ本体１は、撮像素子１２および制御素子１３からの発熱を筐体１０外に放熱する伝熱経路Ｐを備えている。この伝熱経路Ｐは、撮像素子１２からの発熱と、制御素子１３からの発熱を別々に放熱するように構成されている。
【００５３】
具体的に、本実施形態に係る伝熱経路Ｐは、撮像素子１２と熱的に結合された第１伝熱経路Ｐ１と、第１伝熱経路Ｐ１とは別々に設けられ、制御素子１３と熱的に結合された第２伝熱経路Ｐ２と、を有している。
【００５４】
このうち、第１伝熱経路Ｐ１は、第１収容スペースＳ１と、第１隔壁部１４と、筐体１０の側壁１０ｓに沿って配置される第１放熱板２１と、によって構成される。図４〜図８に例示するように、本実施形態に係る第１放熱板２１は、第２放熱板２２に比して、筐体の側壁から離間している。
【００５５】
ここで、第１放熱板２１は、板状の部材からなり、上下方向および前後方向に沿って延びるように配置されている。詳しくは、第１放熱板２１は、その前端部２１ｆと、後端部２１ｒと、をそれぞれ筐体１０に向けて折り曲げた金属板からなり、筐体１０の側壁１０ｓと平行になるような姿勢で配置されている。
【００５６】
このうち、第１放熱板２１の前端部２１ｆは、図５〜図８等に例示するように、上下方向に並んだ一対の貫通孔を有しており、各貫通孔にビス等の締結具２３を挿入することができる。この前端部２１ｆは、締結具２３を介して第１隔壁部１４の後面に締結されている。
【００５７】
一方、第１放熱板２１の後端部２１ｒは、上下方向に並んだ一対の突起部からなり、筐体１０の側壁に向って先細に形成されている。後端部２１ｒを筐体１０の側壁１０ｓに当接させることで、第１放熱板２１を位置決めすることができる。ここで、後端部２１ｒを先細としたことで、この後端部２１ｒと側壁１０ｓとの接触面積が可能な限り抑制される。これにより、後端部２１ｒを介した熱の伝達を抑制することができる。
【００５８】
よって、第１放熱板２１を第１隔壁部１４に締結した状態にあっては、第１放熱板２１の前端部２１ｆと第１隔壁部１４とが、互いに熱的に結合される一方、第１放熱板２１の後端部２１ｒと筐体１０ｓの側壁１０ｓとが、熱伝達を抑制した状態で当接する。
【００５９】
また、図９に例示するように、第１放熱板２１の表面には、前後方向に沿って延びる凸状部２１ｃが設けられている。凸状部２１ｃは複数設けられており、上下方向に沿って略等間隔で、かつ互いに平行に並んでいる。凸状部２１ｃを設けることで、第１放熱板２１の表面積が増大する。
【００６０】
一方、第２伝熱経路Ｐ２は、第２収容スペースＳ２と、第２隔壁部１５と、第１放熱板２１に対し並列に配置される第２放熱板２２と、によって構成される。図４〜図８等に例示するように、本実施形態に係る第２放熱板２２は、第１放熱板２１に比して、筐体１０の側壁に近接している。
【００６１】
ここで、第２放熱板２２は、板状の部材からなり、上下方向および前後方向に沿って延びるように配置されている。第２放熱板２２は、第１放熱板２１と、筐体１０の側壁１０ｓとの双方に対して平行になるように配置されている。第２放熱板２２は、筐体１０の側壁１０ｓに対して直交する方向に沿って見たとき（すなわち、筐体１０の側壁１０ｓを正面視したとき）に、第１放熱板２１と重なり合うことになる。
【００６２】
図１０に例示するように、第２放熱板２２は、略Ｕ字状（具体的には、横倒しされたＵ字状）の断面を有しており、２枚の板状部材２２ａ，２２ｂを一体化した形状とされている。具体的に、本実施形態に係る第２放熱板２２は、筐体１０の側壁１０ｓに締結されるシール板部２２ａと、筐体１０の側壁１０ｓから離間する放熱板部２２ｂと、を有している。
【００６３】
このうち、シール板部２２ａは、その四隅と中央部に貫通孔を設けた板状に形成されている。各貫通孔には、ビス等の締結具２４，２５を挿入することができる。シール板部２２ａは、締結具２４，２５を介して筐体１０の側壁１０ｓに締結され、第２隔壁部１５に密着している。上下方向および前後方向におけるシール板部２２ａの寸法は、同方向における第２隔壁部１５の寸法よりも大きい。シール板部２２ａを第２隔壁部１５に密着させることで、第２収容スペースＳ２を液密状にシールすることができる。
【００６４】
一方、放熱板部２２ｂは、その中央部に開口を設けた板状に形成されている。放熱板部２２ｂの表面には、前後方向に沿って延びる凸状部２２ｅが設けられている。凸状部２２ｅは複数設けられており、上下方向に沿って略等間隔で並んでいる。凸状部２２ｅを設けることで、第２放熱板２２における放熱板部２２ｂの表面積が増大する。
【００６５】
よって、シール板部２２ａを第２隔壁部１５に締結した状態にあっては、シール板部２２ａを介して放熱板部２２ｂと第２隔壁部１５とが熱的に結合されると同時に、シール板部２２ａによって第２収容スペースＳ２をシールすることができる。
【００６６】
また、本実施形態においては、第１放熱板２１および第２放熱板２２のうち、筐体１０の側壁１０ｓから離間している一方（第１放熱板２１）には、該側壁１０ｓに近接している他方（第２放熱板２２）に外気を送るための空気取入口Ｏが形成されている。
【００６７】
具体的には、第１放熱板２１における前側の縁部（特に、上下方向における中央の縁部）には、該縁部から後方に向って切り欠きが設けられており、この切り欠きが空気取入口Ｏとして機能するようになっている。このように、空気取入口Ｏを設けることで、第１放熱板２１と第２放熱板２２との間のスペースに空気を送り込むことができる。
【００６８】
また、本実施形態においては、第１放熱板２１と第２放熱板２２との間隔Ｉ１は、第１および第２放熱板２１，２２のうち筐体１０の側壁１０ｓに近接している一方と該側壁１０ｓとの間隔Ｉ２よりも広い（つまり、Ｉ１＞Ｉ２）。具体的には、図４に例示するように、第１放熱板２１と、第２放熱板２２における放熱板部２２ｂとの間隔Ｉ１が、この放熱板部２２ｂと筐体１０の側壁１０ｓとの間隔Ｉ２よりも大きくなるように構成されている。なお、ここでの「間隔」とは、筐体１０の側壁１０ｓに直交する方向（左右方向）における間隔をいう。
【００６９】
＜空気の流れについて＞
本実施形態に係るカメラ装置Ｃは、前述のように、前部開口部５１ｆからカバー部材５０内に空気を取り込むとともに、そうして取り込んだ空気を後部開口部５１ｒから排出することができる。
【００７０】
ここで、カバー部材５０の内部に取り込まれた空気は、図１２の矢印Ｆｒ，Ｆｌに示すように、カバー部材５０の内壁と第１放熱板２１との間を流れる空気と、第１放熱板２１と第２放熱板２２の放熱板部２２ｂとの間を流れる空気と、第２放熱板２２における放熱板部２２ｂとシール板部２２ａとの間を流れる空気と、に分岐した上で、撮像レンズ１１の光軸Ａ方向に沿って、前方から後方に向って流れることになる。
【００７１】
そうして分岐した空気流によって、第１放熱板２１、第１隔壁部１４および第１収容スペースＳ１を介して撮像素子１２が冷却されると同時に、第２放熱板２２、第２隔壁部１５および第２収容スペースＳ２を介して制御素子１３が冷却される。
【００７２】
このように、撮像素子１２用の第１伝熱経路Ｐ１と、制御素子１３用の第２伝熱経路Ｐ２と、を別々に設けることで、撮像素子１２と制御素子１３との間の伝熱を抑制し、熱害を抑制することができる。
【００７３】
さらに、図４等に例示したように、第１伝熱経路Ｐ１を構成する第１放熱板２１と、第２伝熱経路Ｐ２を構成する第２放熱板２２と、を並列に配置することで、カメラ装置Ｃの大型化を抑制することができる。
【００７４】
また、図４に例示したように、第１放熱板２１が、第２放熱板２２に比して筐体１０の側壁１０ｓから離間している。こうすることで、撮像素子１２をより確実に放熱することができ、画質の悪化を抑制することができる。
【００７５】
また、第１および第２放熱板２１，２２のうち、筐体１０の側壁１０ｓから離間している第１放熱板２１に空気取入口Ｏを形成することで、側壁１０ｓに近接している第２放熱板２２へと空気を送り込むことができる。これにより、第２放熱板２２による放熱を促進することができる。
【００７６】
また、第１放熱板２１と第２放熱板２２における放熱板部２２ｂとの間隔Ｉ１が、この放熱板部２２ｂと筐体１０の側壁１０ｓとの間隔Ｉ２よりも広くなるように構成することで、筐体１０の側壁１０ｓから離間している放熱板（放熱板部２２ｂ）を、この側壁１０ｓからさらに離間させ、該放熱板（放熱板部２２ｂ）による放熱性能をより高めることができる。
【００７７】
《他の実施形態》
前記実施形態においては、第１放熱板２１が、第２放熱板２２に比して筐体１０の側壁１０ｓから離間するように構成されていたが、本開示は、こうした構成には限定されない。
【００７８】
例えば、第２放熱板２２は、第１放熱板２１に比して、筐体１０の側壁１０ｓから離間している、としてもよい。こうすることで、撮像素子１２よりも発熱量の多い制御素子１３を、より確実に放熱することができる。
【００７９】
また、前記実施形態では、第１放熱板２１と第２放熱板２２との間隔Ｉ１と、第２放熱板２２と筐体１０の側壁１０ｓとの間隔Ｉ２とが相違していたが、そうした構成には限定されない。例えば、図１２に示すカメラ装置１’のように、第１放熱板２１’、第２放熱板２２’および筐体１０の側壁１０ｓが、この側壁１０ｓに直交する方向（左右方向）に沿って等間隔で並んでいてもよい（つまり、Ｉ１’＝Ｉ２’）。具体的に、図１２に示す変形例においては、第１放熱板２１’と第２放熱板２２’における放熱板部２２ｂ’との間隔Ｉ１’が、この放熱板部２２ｂ’と筐体１０の側壁１０ｓとの間隔Ｉ２’と略一致するようになっている。こうすることで、限られたスペースの中、第１および第２放熱板２１’，２２’による放熱性能を最大限に発揮させることができる。
【００８０】
さらに、図１２に示すように、第１放熱板２１’と第２放熱板２２’との間隔Ｉ１”は、第１および第２放熱板２１’，２２’のうち筐体１０の側壁１０ｓに近接している一方（具体的には、第２放熱板２２’における放熱板部２２ｂ’）と該側壁１０ｓとの間隔Ｉ２”よりも狭い’（つまり、Ｉ１”＜Ｉ２”）、としてもよい。こうすることで、放熱板部２２ｂ’を側壁１０ｓから離間させ、該放熱板部２２ｂ’による放熱性能を高めることができる。
【００８１】
またそもそも、ここに開示されたカメラ装置は、前記実施形態におけるカメラ装置Ｃのように、人体に装着されるものには限定されない。本開示は、例えば、監視カメラに適用することもできる。
【符号の説明】
【００８２】
Ｓ      撮像システム
Ｃ      カメラ装置
１      カメラ本体
１０    筐体
１０ｓ  筐体の側壁
１１    撮像レンズ
１２    撮像素子
１３    制御素子
２１    第１放熱板
２２    第２放熱板
Ｉ１    第１放熱板と第２放熱板との間隔
Ｉ２    第２放熱板と筐体の側壁との間隔
Ｏ      空気取入口
Ｐ      伝熱経路
Ｐ１    第１伝熱経路
Ｐ２    第２伝熱経路
１００  カメラ用装着具
Ｕ      着用者
【図１】
2020202459.tif 000003
【図２】
2020202459.tif 000004
【図３】
2020202459.tif 000005
【図４】
2020202459.tif 000006
【図５】
2020202459.tif 000007
【図６】
2020202459.tif 000008
【図７】
2020202459.tif 000009
【図８】
2020202459.tif 000010
【図９】
2020202459.tif 000011
【図１０】
2020202459.tif 000012
【図１１】
2020202459.tif 000013
【図１２】
2020202459.tif 000014